【手続補正書】
【提出日】平成16年7月9日(2004.7.9)
【手続補正１】
【補正対象書類名】明細書
【補正対象項目名】発明の名称
【補正方法】変更
【補正の内容】
【発明の名称】メモリカード、装着装置及び装着システム
【手続補正２】
【補正対象書類名】明細書
【補正対象項目名】特許請求の範囲
【補正方法】変更
【補正の内容】
【特許請求の範囲】
【請求項１】
メモリチップを内蔵する平面形状が略長方形のカード本体と、
上記カード本体の挿入方向に沿って並列して配置された複数の外部接続用端子とを備え、
上記カード本体は、２つの主面、挿入方向に平行な第１の側面、および挿入方向に平行な第２の側面を有し、上記第１の側面の両側端部に装着用の切欠部が形成されるとともに、上記第２の側面の両側端部に装着用の切欠部が形成されることを特徴とするメモリカード。
【請求項２】
上記切欠部は、矩形の凹部であり、カード本体の主面に臨まないことを特徴とする請求項１記載のメモリカード。
【請求項３】
メモリカードが装着される装着用凹部を備える装着装置において、
上記メモリカードは、メモリチップを内蔵し平面形状が略長方形をなし側面に装着用の切欠部が形成されたカード本体と、上記カード本体の挿入方向に沿って並列して配置された複数の外部接続用端子と、
上記装着用凹部は、メモリカードの主面が外部に臨むように開口され、その側壁に上記メモリカードの側面に形成された切欠部と係合する突出部を備えることを特徴とする装着装置。
【請求項４】
上記突出部は、装着用凹部の側壁の両端に形成され、メモリカードの側面の両端部に形成された切欠部に係合することを特徴とする請求項３記載の装着装置。
【請求項５】
メモリカードと、メモリカードが装着される装着装置とを有するシステムにおいて、
上記メモリカードは、メモリチップを内蔵し平面形状が略長方形をなし側面に装着用の切欠部が形成されたカード本体と、上記カード本体の挿入方向に沿って並列して配置された複数の外部接続用端子とを備え、
上記装着装置は、メモリカードの主面が外部に臨むように装着される装着用凹部を備え、上記装着用凹部の側壁に上記メモリカードの側面に形成された切欠部と係合する突出部を備えることを特徴とする装着システム。
【請求項６】
上記突出部は、装着用凹部の側壁の両端に形成され、メモリカードの側面の両端部に形成された切欠部に係合することを特徴とする請求項５記載の装着システム。
【請求項７】
メモリチップを内蔵する平面形状が略長方形のカード本体と、
上記カード本体の挿入方向に沿って並列して配置された複数の外部接続用端子とを備え、
上記カード本体は、２つの主面、および挿入方向に平行な２つの側面を有し、上記カード本体の挿入方向に平行な２つの側面のうち少なくとも１つには、上記２つの主面のうち一方の主面に臨み、他方の主面に臨まない円弧状の切欠部が形成されることを特徴とするメモリカード。
【請求項８】
上記円弧状の切欠部は、上記カード本体が装着装置に装着された際に、装着装置から脱落しないようにするためのロック用切欠部であることを特徴とする請求項７記載のメモリカード。
【請求項９】
メモリカードと、メモリカードが装着される装着装置とを有する装着システムにおいて、
上記メモリカードは、メモリチップを内蔵する平面形状が略長方形のカード本体と、
上記カード本体の挿入方向に沿って並列して配置された複数の外部接続用端子とを備え、
上記カード本体は、２つの主面、および挿入方向に平行な２つの側面を有し、カード本体の挿入方向に平行な２つの側面のうち少なくとも１つには、上記２つの主面のうち一方の主面に臨み、他方の主面に臨まない、円弧状の切欠部が形成されることを特徴とする装着システム。
【請求項１０】
メモリチップを内蔵する平面形状が略長方形のカード本体と、
上記カード本体の挿入方向に沿って並列して配置された複数の外部接続用端子とを備え、
上記カード本体は、２つの主面、および挿入方向に平行な２つの側面を有し、カード本体の挿入方向に平行な２つの側面のうち少なくとも１つには、上記２つの主面のうち一方の主面に臨み他方の主面に臨まない凹部が形成され、
上記凹部は、カード本体の挿入方向の中間に位置することを特徴とするメモリカード。
【請求項１１】
メモリカードと、メモリカードが装着される装着装置とを有する装着システムにおいて、
上記メモリカードは、メモリチップを内蔵する平面形状が略長方形のカード本体と、
上記カード本体の挿入方向に沿って並列して配置された複数の外部接続用端子とを備え、
上記カード本体は、２つの主面、および挿入方向に平行な２つの側面を有し、カード本体の挿入方向に平行な２つの側面のうち少なくとも１つには、上記２つの主面のうち一方の主面に臨み他方の主面に臨まない凹部が形成され、
上記凹部は、カード本体の挿入方向の中間に位置することを特徴とする装着システム。
【手続補正３】
【補正対象書類名】明細書
【補正対象項目名】０００８
【補正方法】変更
【補正の内容】
【０００８】
【課題を解決するための手段】
上述の目的を達成するため、本発明は、メモリチップを内蔵する平面形状が略長方形のカード本体と、上記カード本体の挿入方向に沿って並列して配置された複数の外部接続用端子とを備え、上記カード本体は、２つの主面、挿入方向に平行な第１の側面、および挿入方向に平行な第２の側面を有し、上記第１の側面の両側端部に装着用の切欠部が形成されるとともに、上記第２の側面の両側端部に装着用の切欠部が形成されている。
【手続補正４】
【補正対象書類名】明細書
【補正対象項目名】０００９
【補正方法】変更
【補正の内容】
【０００９】
上記切欠部は、矩形の凹部であり、カード本体の主面に臨まないように形成されている。
【手続補正５】
【補正対象書類名】明細書
【補正対象項目名】００１０
【補正方法】変更
【補正の内容】
【００１０】
また、本発明は、メモリカードが装着される装着用凹部を備える装着装置において、上記メモリカードが、メモリチップを内蔵し平面形状が略長方形をなし側面に装着用の切欠部が形成されたカード本体と、上記カード本体の挿入方向に沿って並列して配置された複数の外部接続用端子と、上記装着用凹部は、メモリカードの主面が外部に臨むように開口され、その側壁に上記メモリカードの側面に形成された切欠部と係合する突出部を備えている。
【手続補正６】
【補正対象書類名】明細書
【補正対象項目名】００１１
【補正方法】変更
【補正の内容】
【００１１】
上記突出部は、装着用凹部の側壁の両端に形成され、メモリカードの側面の両端部に形成された切欠部に係合する。
【手続補正７】
【補正対象書類名】明細書
【補正対象項目名】００１２
【補正方法】変更
【補正の内容】
【００１２】
また、本発明は、メモリカードと、メモリカードが装着される装着装置とを有するシステムにおいて、上記メモリカードは、メモリチップを内蔵し平面形状が略長方形をなし側面に装着用の切欠部が形成されたカード本体と、上記カード本体の挿入方向に沿って並列して配置された複数の外部接続用端子とを備え、上記装着装置は、メモリカードの主面が外部に臨むように装着される装着用凹部を備え、上記装着用凹部の側壁に上記メモリカードの側面に形成された切欠部と係合する突出部を備える。
【手続補正８】
【補正対象書類名】明細書
【補正対象項目名】００１３
【補正方法】変更
【補正の内容】
【００１３】
さらに、本発明に係るメモリカードは、メモリチップを内蔵する平面形状が略長方形のカード本体と、上記カード本体の挿入方向に沿って並列して配置された複数の外部接続用端子とを備え、上記カード本体は、２つの主面、および挿入方向に平行な２つの側面を有し、カード本体の挿入方向に平行な２つの側面のうち少なくとも１つには、上記２つの主面のうち一方の主面に臨み、他方の主面に臨まない、円弧状の切欠部が形成されている。
【手続補正９】
【補正対象書類名】明細書
【補正対象項目名】００１４
【補正方法】変更
【補正の内容】
【００１４】
上記円弧状の切欠部は、上記カード本体が装着装置に装着された際に、装着装置から脱落しないようにするためのロック用切欠部である。
【手続補正１０】
【補正対象書類名】明細書
【補正対象項目名】００１５
【補正方法】変更
【補正の内容】
【００１５】
さらに、本発明は、メモリカードと、メモリカードが装着される装着装置とを有する装着システムにおいて、上記メモリカードは、メモリチップを内蔵する平面形状が略長方形のカード本体と、上記カード本体の挿入方向に沿って並列して配置された複数の外部接続用端子とを備え、上記カード本体は、２つの主面、および挿入方向に平行な２つの側面を有し、カード本体の挿入方向に平行な２つの側面のうち少なくとも１つには、上記２つの主面のうち一方の主面に臨み、他方の主面に臨まない、円弧状の切欠部が形成されている。
【手続補正１１】
【補正対象書類名】明細書
【補正対象項目名】００１６
【補正方法】変更
【補正の内容】
【００１６】
さらにまた、本発明に係るメモリカードは、メモリチップを内蔵する平面形状が略長方形のカード本体と、上記カード本体の挿入方向に沿って並列して配置された複数の外部接続用端子とを備え、上記カード本体は、２つの主面、および挿入方向に平行な２つの側面を有し、カード本体の挿入方向に平行な２つの側面のうち少なくとも１つには、上記２つの主面のうち一方の主面に臨み他方の主面に臨まない凹部が形成され、上記凹部がカード本体の挿入方向の中間に位置する、
【手続補正１２】
【補正対象書類名】明細書
【補正対象項目名】００１７
【補正方法】変更
【補正の内容】
【００１７】
さらにまた、本発明は、メモリカードと、メモリカードが装着される装着装置とを有する装着システムにおいて、上記メモリカードは、メモリチップを内蔵する平面形状が略長方形のカード本体と、上記カード本体の挿入方向に沿って並列して配置された複数の外部接続用端子とを備え、上記カード本体は、２つの主面、および挿入方向に平行な２つの側面を有し、カード本体の挿入方向に平行な２つの側面のうち少なくとも１つには、上記２つの主面のうち一方の主面に臨み他方の主面に臨まない凹部が形成され、上記凹部は、カード本体の挿入方向の中間に位置する。
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】